(57)【要約】【課題】広ダイナミックレンジ合成画像の撮影記録に関して、ユーザの利便性や実用性などの向上を図る【解決手段】広ダイナミックレンジ（ＷＤＲ）撮影モードにおいては、通常のＡＥによる撮影画像データと、ＷＤＲ撮影によりダイナミックが拡大されたＷＤＲ撮影画像データを生成し、これらの撮影画像データの画像と、ヒストグラムとをそれぞれ表示させる。そして、ユーザが、この表示を見て選択操作を行うことで、これらの画像データのうちから、記憶媒体に記憶させるべき正規の撮影画像データが決定されるようにする。あるいは、この正規撮影画像データの確定を、ヒストグラムの情報に基づいて自動判別により実行するように構成する。【選択図】図６
2008060676.tif 000002
【特許請求の範囲】
【請求項１】
設定された露出条件に従って撮像を実行させて得られた画像信号から画像データを生成する処理である撮影処理を実行する撮影処理手段と、
１つの露出条件を設定して上記撮影処理を実行させることで通常撮影画像データを生成するようにされる通常撮影画像データ生成手段と、
複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手段と、
１回分の撮影動作として、上記通常撮影画像データ生成手段が通常撮影画像データを生成する動作と、上記合成撮影画像データ生成手段が、今回の上記撮影動作において上記通常画像データ処理手段に設定された露出条件に基づいて設定された上記複数の異なる露出条件に従って撮影処理を実行させて上記合成撮影画像データを生成する動作とが、所定時間内に実行されるように制御する撮影動作制御手段と、
上記１回分の撮影動作により生成された上記通常撮影画像データ及び上記合成撮影画像データの各画像と、これらの画像データについての上記ヒストグラム情報を視覚化した画像とが提示される選択操作用画像が所定の表示態様により表示出力されるようにする表示制御手段と、
上記選択操作用画像において表示出力される上記通常撮影画像データ及び上記合成撮影画像データの各画像のうちから、何れか一方の画像を選択するための操作が行われる操作手段と、
上記操作手段に対して行われた操作に応じて、上記１回分の撮影動作により生成された上記通常撮影画像データと上記合成撮影画像データのうちから、正規なものとして扱われるべき正規撮影画像データを選択決定する選択決定手段と、
を備えることを特徴とする画像信号処理装置。
【請求項２】
上記表示制御手段による上記選択操作用画像の表示出力と、
上記選択決定手段による上記正規撮影画像データの選択決定は、
上記撮影動作制御手段による上記１回分の撮影動作が実行されるごとに行われるようにされる、
ことを特徴とする請求項１に記載の画像信号処理装置。
【請求項３】
上記撮影動作制御手段による上記１回分の撮影動作が実行されるごとに得られる上記通常撮影画像データ及び上記合成撮影画像データの組を、複数記憶することのできる撮影画像記憶手段をさらに備えたうえで、
上記表示制御手段による上記選択操作用画像の表示出力と、上記選択決定手段による上記正規撮影画像データの選択決定は、これまでの撮影動作により保存されたとする再生モードのときに対応して行われるようにされており、このときの上記表示制御手段による上記選択操作用画像の表示出力には、上記撮影画像記憶手段に記憶されている上記通常撮影画像データ及び上記合成撮影画像データと、これらの画像データに対応して生成したヒストグラム情報とを少なくとも利用して行うようにされている、
ことを特徴とする請求項１に記載の画像信号処理装置。
【請求項４】
上記選択決定手段により正規撮影画像データとして選択決定された上記通常撮影画像データと上記合成撮影画像データのうちの一方を、上記１回分の撮影動作により撮影された画像データとして記憶手段に対して記憶させる記憶制御手段をさらに備える、
ことを特徴とする請求項１に記載の画像信号処理装置。
【請求項５】
上記合成撮影画像データ生成手段が実行するとされる複数回の上記撮影処理の各々は、上記通常撮影画像データ生成手段が実行させる撮影処理とは個別の処理である、
ことを特徴とする請求項１に記載の画像信号処理装置。
【請求項６】
上記合成撮影画像データ生成手段は、対応する１回分の撮影動作において、上記通常撮影画像データ生成手段が設定した１つの露出条件に基づいて、上記複数の異なる露出条件の各々を設定するようにされている、
ことを特徴とする請求項１に記載の画像信号処理装置。
【請求項７】
撮像を行って得られた画像光に応じた画像信号を得る撮像手段と、
設定された露出条件に従って上記撮像手段により撮像を実行させて得た上記画像信号から画像データを生成する処理である撮影処理を実行する撮影処理手段と、
１つの露出条件を設定して上記撮影処理を実行させることで通常撮影画像データを生成するようにされる通常撮影画像データ生成手段と、
複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手段と、
１回分の撮影動作として、上記通常撮影画像データ生成手段が通常撮影画像データを生成する動作と、上記合成撮影画像データ生成手段が、今回の上記撮影動作において上記通常画像データ処理手段に設定された露出条件に基づいて設定された上記複数の異なる露出条件に従って撮影処理を実行させて上記合成撮影画像データを生成する動作とが、所定時間内に実行されるように制御する撮影動作制御手段と、
上記１回分の撮影動作により生成された上記通常撮影画像データ及び上記合成撮影画像データの各画像と、これらの画像データについての上記ヒストグラム情報を視覚化した画像とが提示される選択操作用画像が所定の表示態様により表示出力されるようにする表示制御手段と、
上記選択操作用画像において表示出力される上記通常撮影画像データ及び上記合成撮影画像データの各画像のうちから、何れか一方の画像を選択するための操作が行われる操作手段と、
上記操作手段に対して行われた操作に応じて、上記１回分の撮影動作により生成された上記通常撮影画像データと上記合成撮影画像データのうちから、正規なものとして扱われるべき正規撮影画像データを選択決定する選択決定手段と、
を備えることを特徴とする撮像装置。
【請求項８】
設定された露出条件に従って撮像を実行させて得られた画像信号から画像データを生成する処理である撮影処理を実行する撮影処理実行手順と、
１つの露出条件を設定して上記撮影処理を実行させることで通常撮影画像データを生成するようにされる通常撮影画像データ生成手順と、
複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手順と、
１回分の撮影動作として、上記通常撮影画像データ生成手順が通常撮影画像データを生成する動作と、上記合成撮影画像データ生成手順が、今回の上記撮影動作において上記通常画像データ処理手順に設定された露出条件に基づいて設定された上記複数の異なる露出条件に従って撮影処理を実行させて上記合成撮影画像データを生成する動作とが、所定時間内に実行されるように制御する撮影動作制御手順と、
上記１回分の撮影動作により生成された上記通常撮影画像データ及び上記合成撮影画像データの各画像と、これらの画像データについての上記ヒストグラム情報を視覚化した画像とが提示される選択操作用画像が所定の表示態様により表示出力されるようにする表示制御手順と、
上記選択操作用画像において表示出力される上記通常撮影画像データ及び上記合成撮影画像データの各画像のうちから、何れか一方の画像を選択するための操作が行われたことに応じて、上記１回分の撮影動作により生成された上記通常撮影画像データと上記合成撮影画像データのうちから、正規なものとして扱われるべき正規撮影画像データを選択決定する選択決定手順と、
を実行することを特徴とする画像信号処理方法。
【請求項９】
設定された露出条件に従って撮像を実行させて得られた画像信号から画像データを生成する処理である撮影処理を実行する撮影処理手段と、
１つの露出条件を設定して上記撮影処理を実行させることで通常撮影画像データを生成するようにされる通常撮影画像データ生成手段と、
複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手段と、
１回分の撮影動作として、上記通常撮影画像データ生成手段が通常撮影画像データを生成する動作と、上記合成撮影画像データ生成手段が、今回の上記撮影動作において上記通常画像データ処理手段に設定された露出条件に基づいて設定された上記複数の異なる露出条件に従って撮影処理を実行させて上記合成撮影画像データを生成する動作とが、所定時間内に実行されるように制御する撮影動作制御手段と、
上記一回分の撮影動作により生成された上記通常撮影画像データと上記合成撮影画像データのヒストグラム情報を比較した結果に基づいて、これら通常撮影画像データと合成撮影画像データのうちで、より良好とされる画内容を有するとされる画像データのほうを、上記正規撮影画像データとして選択決定するようにされる選択決定手段と、
を備えることを特徴とする画像信号処理装置。
【請求項１０】
上記選択決定手段による上記正規撮影画像データの選択決定は、
上記撮影動作制御手段による上記１回分の撮影動作が実行されるごとにおいて行われるようにされる、
ことを特徴とする請求項９に記載の画像信号処理装置。
【請求項１１】
上記撮影動作制御手段による上記１回分の撮影動作が実行されるごとに得られる上記通常撮影画像データ及び上記合成撮影画像データの組を、複数記憶することのできる撮影画像記憶手段をさらに備えたうえで、
上記選択決定手段による上記正規撮影画像データの選択決定は、これまでの撮影動作により保存されたとする再生モードのときに対応して行われるようにされており、このときの上記選択決定手段による上記正規撮影画像データの選択決定には、上記撮影画像記憶手段に記憶されている上記通常撮影画像データ及び上記合成撮影画像データに対応して生成したヒストグラム情報を利用するようにされている、
ことを特徴とする請求項９に記載の画像信号処理装置。
【請求項１２】
上記選択決定手段により正規撮影画像データとして選択決定された上記通常撮影画像データと上記合成撮影画像データのうちの一方を、上記１回分の撮影動作により撮影された画像データとして記憶手段に対して記憶させる記憶制御手段をさらに備える、
ことを特徴とする請求項９に記載の画像信号処理装置。
【請求項１３】
上記合成撮影画像データ生成手段が実行するとされる複数回の上記撮影処理の各々は、上記通常撮影画像データ生成手段が実行させる撮影処理とは個別の処理である、
ことを特徴とする請求項９に記載の画像信号処理装置。
【請求項１４】
上記合成撮影画像データ生成手段は、対応する１回分の撮影動作において、上記通常撮影画像データ生成手段が設定した１つの露出条件に基づいて、上記複数の異なる露出条件の各々を設定するようにされている、
ことを特徴とする請求項９に記載の画像信号処理装置。
【請求項１５】
撮像を行って得られた画像光に応じた画像信号を得る撮像手段と、
設定された露出条件に従って上記撮像手段により撮像を実行させて得た上記画像信号から画像データを生成する処理である撮影処理を実行する撮影処理手段と、
１つの露出条件を設定して上記撮影処理を実行させることで通常撮影画像データを生成するようにされる通常撮影画像データ生成手段と、
複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手段と、
１回分の撮影動作として、上記通常撮影画像データ生成手段が通常撮影画像データを生成する動作と、上記合成撮影画像データ生成手段が、今回の上記撮影動作において上記通常画像データ処理手段に設定された露出条件に基づいて設定された上記複数の異なる露出条件に従って撮影処理を実行させて上記合成撮影画像データを生成する動作とが、所定時間内に実行されるように制御する撮影動作制御手段と、
上記一回分の撮影動作により生成された上記通常撮影画像データと上記合成撮影画像データのヒストグラム情報を比較した結果に基づいて、これら通常撮影画像データと合成撮影画像データのうちで、より良好とされる画内容を有するとされる画像データのほうを、上記正規撮影画像データとして選択決定するようにされる選択決定手段と、
を備えることを特徴とする撮像装置。
【請求項１６】
設定された露出条件に従って撮像を実行させて得られた画像信号から画像データを生成する処理である撮影処理を実行する撮影処理実行手順と、
１つの露出条件を設定して上記撮影処理を実行させることで通常撮影画像データを生成するようにされる通常撮影画像データ生成手順と、
複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手順と、
１回分の撮影動作として、上記通常撮影画像データ生成手順が通常撮影画像データを生成する動作と、上記合成撮影画像データ生成手順が、今回の上記撮影動作において上記通常画像データ処理手順に設定された露出条件に基づいて設定された上記複数の異なる露出条件に従って撮影処理を実行させて上記合成撮影画像データを生成する動作とが、所定時間内に実行されるように制御する撮影動作制御手順と、
上記一回分の撮影動作により生成された上記通常撮影画像データと上記合成撮影画像データのヒストグラム情報を比較した結果に基づいて、これら通常撮影画像データと合成撮影画像データのうちで、より良好とされる画内容を有するとされる画像データのほうを、上記正規撮影画像データとして選択決定するようにされる選択決定手順と、
を実行することを特徴とする画像信号処理方法。
【発明の詳細な説明】
【技術分野】
【０００１】
本発明は、撮像により得た画像情報を対象として処理を実行するようにされた画像信号処理装置と、その方法に関する。また、上記画像信号処理装置としての構成を有する撮像装置に関する。
【背景技術】
【０００２】
いわゆる良い写真を撮影するための条件の１つに、露出が適正であることが挙げられる。ただし、適正露出を的確に得ることは、例えば露出計を用いる必要があるほか、絞りやシャッタースピードの調整などをはじめとする或る程度の熟練も要求されるので、一般のユーザにとって決して容易なことではない。
そこで、銀塩カメラやデジタルスチルカメラなどの撮像装置では、以前から、露出設定について自動化する機能を備えることが行われている。このような機能は、自動露出（ＡＥ：Automatic Exposure）などともいわれている。この自動露出制御としては、撮像装置により周囲の光量（明るさ）を検知し、この検知した光量に応じて、適正とされる１つの露出量（シャッタースピード、絞り値の組み合わせ）を設定するという手法が一般的である。
【０００３】
しかし、実際の撮影にあっては、被写体の色や質感は様々であり、また、太陽光や照明などが必要以上に明るい、あるいは暗すぎるなど、カメラの撮像部位が取り込める光についての状況も多様である。このために、自動露出制御によって撮像を行ったとしても、白飛びや黒つぶれなどが現れてしまって良好な撮影画像が得られなかったということはしばしば起こりえるというのが現状である。特に、このような現状は、ダイナミックレンジが非常に狭いとされている、ＣＣＤ(Charge Coupled Device)などの固体撮像素子を用いるデジタルスチルカメラなどにおいて顕著であることが知られている。
【０００４】
そこで、デジタルスチルカメラなどの撮像装置においては、これまでの通常の自動露出制御では良好な撮影画像が得られないとされるような撮影環境にあっても、適正露出による撮影画像ができるだけ得られるようにするための画像信号処理技術として次のようなものが提案されている。
つまり、特許文献１に記載されているように、長時間露光として扱われる通常撮影画像と、これよりも短時間の露光により撮像した撮影画像によりそれぞれ異なる露光量により撮影（ＳＬ撮影）した複数の画像データを得るようにしたうえで、これら複数の画像データを合成して、広ダイナミックレンジ合成画像（ＳＬ合成画像）を得るようにするものである。このようにして得られるＳＬ合成画像は、例えば通常の自動露出制御により撮影を行った場合と比較すると、明るさのダイナミックレンジについてより広い特性が得られることになるものであり、この結果、自動露出制御の場合よりも良好とされる露出設定により撮影されたのと同質の画像を得ることが可能になる。
【０００５】
【特許文献１】特開２０００−９２３７８号公報
【発明の開示】
【発明が解決しようとする課題】
【０００６】
しかし、広ダイナミックレンジ合成画像は、あくまでも装置により自動実行される撮影に基づいたものであることから、撮影時における各種の環境や状況によっては、通常にＡＥ制御により撮影した場合のほうが良い露光で撮影される可能性のあることは否定できない。このことからすると、広ダイナミックレンジ合成画像と、通常のＡＥ制御により撮影して得た画像との間で、正規として扱われるべき画像を自動又は手動で選択できるようにすることが、例えばユーザにとっても有益であり、好ましいということがいえる。本願発明としては、このような広ダイナミックレンジ合成画像と通常に撮影して得た画像とを選択する構成に関して、実用性が充分で、また、効率的なものとなるようにすることを目的とする。
【課題を解決するための手段】
【０００７】
そこで本発明は上記した課題を考慮して、画像信号処理装置として次のように構成する。
つまり、設定された露出条件に従って撮像を実行させて得られた画像信号から画像データを生成する処理である撮影処理を実行する撮影処理手段と、１つの露出条件を設定して撮影処理を実行させることで通常撮影画像データを生成するようにされる通常撮影画像データ生成手段と、複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手段と、１回分の撮影動作として、通常撮影画像データ生成手段が通常撮影画像データを生成する動作と、合成撮影画像データ生成手段が、今回の撮影動作において通常画像データ処理手段に設定された露出条件に基づいて設定された複数の異なる露出条件に従って撮影処理を実行させて合成撮影画像データを生成する動作とが、所定時間内に実行されるように制御する撮影動作制御手段と、１回分の撮影動作により生成された通常撮影画像データ及び合成撮影画像データの各画像と、これらの画像データについてのヒストグラム情報を視覚化した画像とが提示される選択操作用画像が所定の表示態様により表示出力されるようにする表示制御手段と、選択操作用画像において表示出力される通常撮影画像データ及び合成撮影画像データの各画像のうちから、何れか一方の画像を選択するための操作が行われる操作手段と、この操作手段に対して行われた操作に応じて、１回分の撮影動作により生成された通常撮影画像データと上記合成撮影画像データのうちから、正規なものとして扱われるべき正規撮影画像データを選択決定する選択決定手段とを備えることとした。
【０００８】
また、撮像装置については、次のように構成することとした。
つまり、撮像を行って得られた画像光に応じた画像信号を得る撮像手段と、設定された露出条件に従って撮像手段により撮像を実行させて得た上記画像信号から画像データを生成する処理である撮影処理を実行する撮影処理手段と、１つの露出条件を設定して撮影処理を実行させることで通常撮影画像データを生成するようにされる通常撮影画像データ生成手段と、複数の異なる露出条件を設定したうえで、これらの露出条件ごとに従って所定の複数回の上記撮影処理を所定時間内に順次実行させることで複数の画像データを得て、これらの複数の画像データを利用した画像合成処理を実行して合成撮影画像データを生成する合成撮影画像データ生成手段と、１回分の撮影動作として、通常撮影画像データ生成手段が通常撮影画像データを生成する動作と、合成撮影画像データ生成手段が、今回の撮影動作において通常画像データ処理手段に設定された露出条件に基づいて設定された複数の異なる露出条件に従って撮影処理を実行させて合成撮影画像データを生成する動作とが、所定時間内に実行されるように制御する撮影動作制御手段と、１回分の撮影動作により生成された通常撮影画像データ及び合成撮影画像データの各画像と、これらの画像データについてのヒストグラム情報を視覚化した画像とが提示される選択操作用画像が所定の表示態様により表示出力されるようにする表示制御手段と、選択操作用画像において表示出力される通常撮影画像データ及び合成撮影画像データの各画像のうちから、何れか一方の画像を選択するための操作が行われる操作手段と、この操作手段に対して行われた操作に応じて、１回分の撮影動作により生成された通常撮影画像データと上記合成撮影画像データのうちから、正規なものとして扱われるべき正規撮影画像データを選択決定する選択決定手段とを備えることとした。
【０００９】
また、他の画像信号処理装置として次のように構成することとした。
つまり、設定された露出条件に従って撮像を実行させて得られた画像信号から画像データを生成する処理である撮影処理を実行する撮影処理手段と、１つの露出条件を設定して撮影処理を実行させることで通常撮影画像データを生成するようにされる通常撮影画像データ生成手段と、複数の異なる露出条件を設定したうえで、これらの露出条件ごとに従って所定の複数回の撮影処理を所定時間内に順次実行させることで複数の画像データを得て、これらの複数の画像データを利用した画像合成処理を実行して合成撮影画像データを生成する合成撮影画像データ生成手段と、１回分の撮影動作として、通常撮影画像データ生成手段が通常撮影画像データを生成する動作と、合成撮影画像データ生成手段が、今回の撮影動作において通常画像データ処理手段に設定された露出条件に基づいて設定された複数の異なる露出条件に従って撮影処理を実行させて合成撮影画像データを生成する動作とが、所定時間内に実行されるように制御する撮影動作制御手段と、
上記一回分の撮影動作により生成された通常撮影画像データと合成撮影画像データのヒストグラム情報を比較した結果に基づいて、これら通常撮影画像データと合成撮影画像データのうちで、より良好とされる画内容を有するとされる画像データのほうを、正規撮影画像データとして選択決定するようにされる選択決定手段とを備えることとした。
【００１０】
また、上記画像信号処理装置に対応する撮像装置として次のように構成する。
つまり、撮像を行って得られた画像光に応じた画像信号を得る撮像手段と、設定された露出条件に従って上記撮像手段により撮像を実行させて得た画像信号から画像データを生成する処理である撮影処理を実行する撮影処理手段と、１つの露出条件を設定して撮影処理を実行させることで通常撮影画像データを生成するようにされる通常撮影画像データ生成手段と、複数の異なる露出条件を設定したうえで、これらの露出条件ごとに従って所定の複数回の撮影処理を所定時間内に順次実行させることで複数の画像データを得て、これらの複数の画像データを利用した画像合成処理を実行して合成撮影画像データを生成する合成撮影画像データ生成手段と、１回分の撮影動作として、通常撮影画像データ生成手段が通常撮影画像データを生成する動作と、合成撮影画像データ生成手段が、今回の撮影動作において通常画像データ処理手段に設定された露出条件に基づいて設定された複数の異なる露出条件に従って撮影処理を実行させて合成撮影画像データを生成する動作とが、所定時間内に実行されるように制御する撮影動作制御手段と、一回分の撮影動作により生成された通常撮影画像データと合成撮影画像データのヒストグラム情報を比較した結果に基づいて、これら通常撮影画像データと合成撮影画像データのうちで、より良好とされる画内容を有するとされる画像データのほうを、正規撮影画像データとして選択決定するようにされる選択決定手段とを備えることとした。
【００１１】
上記各構成によっては、先ず、１回分の撮影動作として、設定された１つの露出条件によって撮影を行うことで通常撮影画像データを得るとともに、複数の異なる露出条件により複数回の撮影を行って得られた複数の画像データを合成して合成撮影画像データを得るようにされた動作を実行するようにされている。つまり、共通の被写体を対象として撮影したとされる撮影画像に対応して、通常撮影画像データと合成撮影画像データとを得るようにされている。
そして、このようにして得た通常撮影画像データと合成撮影画像データのうちから、正規なものとして扱うべき正規撮影画像データを選択するようにされるのであるが、この選択にあたっては、通常撮影画像データと合成撮影画像データの各ヒストグラム情報を利用するようにされる。ヒストグラムとは、一般には、数量化可能な要因、特性のデータについての、そのデータが存在する範囲における度数的な分布を示すグラフとされるが、本願発明におけるヒストグラム情報は、１つの画像データを形成するとされる画素の明るさ（輝度）についての、所定の輝度範囲における度数分布を示した情報単位をいう。ちなみに、カメラ技術やこれに関連する信号処理の分野では、このような画像データの画素の明るさについての度数分布を示したものを指してヒストグラムということがしばしばある。
そして、このようにしてヒストグラムに基づいて正規撮影画像データを選択することによっては、最小限の情報でありながら、的確な選択結果を得ることができる。適正露出とされる画像は、一般に或る決まったヒストグラムの度数分布パターンを示すからである。
【発明の効果】
【００１２】
このことから本発明としては、ヒストグラムのように必要最小限、かつ、有効な情報に基づいて正規撮影画像データの選択を行うことで、例えば選択のための操作手順などは簡易なものとすることができ、ユーザにとっての利便性の向上が図られることとなる。
【発明を実施するための最良の形態】
【００１３】
図１は、本発明を実施するための最良の形態（以下、実施の形態という）としての画像信号処理装置、撮像装置とされる、デジタルスチルカメラの外観例を示している。
この図においては、本実施の形態のデジタルスチルカメラ１についての背面の様子を平面図により示している。この図に示されるようにして、デジタルスチルカメラ１の背面においては、表示画面部７Ａが表出するようにして設けられる。この表示画面部７Ａは、例えばＬＣＤ(Liquid Crystal Display)などの表示デバイスの表示画面となる部位とされる。また、表示画面部７Ａのサイズは、デジタルスチルカメラ１の実際のサイズにもよるが、例えば２型〜３型前後程度であるのが一般的である。撮像時においては、この表示画面部７Ａに撮影画像が表示されるようになっており、撮影者であるユーザは、ビューファインダの代わりに、この表示画面部７Ａに表示される画像を見ながら写真撮影を行うことができる。また、例えば所定種別の記憶媒体２０に記録された撮影画像などの画像データを、画像として再生して表示出力させることもできるようになっている。さらには、例えば、デジタルスチルカメラ１に対する各種操作に対応した操作画面なども表示するようにされる。
【００１４】
また、デジタルスチルカメラ１には、写真撮影その他必要な操作のために各種操作子が設けられる。図１では、これらの操作子のうち、一般的とされるものを例示している。
シャッターボタン３１は、撮影画像を写真画像として記録するための操作子である。シャッターボタン３１が操作されることに応じて、その操作に応じたタイミングで得られていた撮影画像が、例えば所定形式の静止画像データとして、デジタルスチルカメラ１に装填、あるいは内蔵される記憶媒体に書き込まれて記憶される。
ズームキー３２は、本来的には、撮影画像の画角を変更するために用いられる操作子であり、例えば、ワイド（Ｗ：Wide）側に対して操作を行えば画角が拡大した撮影画像となり、望遠（Ｔ：Tele）側に対して操作を行えば画角が狭くなって望遠の撮影画像になる。
十字キー３３は、上下左右の何れかの方向を択一的に指定する操作を行うための操作子である。この十字キー３３は、そのときの操作モード、動作モード等に応じて操作に応答した動作が異なる。例えば、表示画面部７Ａに表示されるボタン間の移動などに用いる場合には、十字キー３３に対する操作に応じて、ボタンに対する強調表示が上下左右のいずれかの方向に移動するようにされる。また、この十字キー３３の中央部分は、押圧操作が可能なようになっている。この押圧操作は、例えば何らかの項目を選択しているときの決定操作などとされることがしばしばある。
また、この図では、ボタンキー３４，３５も示されている。これらのボタンキー３４、３５は、単純に押圧／解除が可能なキーとされており、そのときの操作モード、動作モード等に応じて操作に応答した動作は異なってくるものとされる。
なお、この図１において図示されていないデジタルスチルカメラ１の前面側には、例えば撮像光学系であるカメラレンズ部などが前方を撮像方向とするようにして備えられる。
【００１５】
図２は、本実施の形態としてのデジタルスチルカメラ１の構成例を示すブロック図である。
この図に示すデジタルスチルカメラ１において、光学系部２は、撮像レンズ、絞りなどを備えて成り、入射された光を撮像光として、光電変換部３に結像させる。また、光学系部２においては、フォーカス（焦点）調整のためのフォーカス調整機構や、絞り値に応じて絞りを可変する絞り可変機構などを備えているものとされ、このような機構部の駆動は、カメラ機能部６から出力される駆動信号によって行われる。カメラ機能部６は、ＣＰＵ１０の制御に応じて、しかるべきフォーカスや絞りの調整状態等が得られるように所要の駆動信号を出力するようにされている。なお、絞りの調整は、後述するシャッター速度とともに、露出条件として設定されるパラメータの１つとされる。
また、例えば光学ズーム機能を与えることとした場合には、光学系部２においてズームレンズを移動させるズーム機構を設けると共に、上記と同様にして、ＣＰＵ１０の制御に応じて上記ズーム機構を移動させる駆動部を設けるようにすればよい。さらに、カメラ機能部６として、ストロボを設けたうえで、ストロボ発光機能を与えるように構成することもできる。
【００１６】
本実施の形態の光電変換部３は、光電変換素子で（固体撮像素子）として、ＣＭＯＳセンサを備えて構成され、光学系部２から入射されて受光面にて結像された撮像光を光電変換することで撮像信号を生成して画像信号処理部４に出力する。撮影時においては、例えば露出設定に応じて決定されるシャッター速度の指示が、ＣＰＵ１０から画像信号処理部４に通知される。画像信号処理部４では、通知されたシャッター速度に対応する走査タイミング信号を光電変換部３に出力する。光電変換部３は、この走査タイミング信号に応じて走査を行うようにして、光電変換処理を実行して映像信号を出力するようにされる。
【００１７】
なお、周知のようにして、ＣＭＯＳセンサは、ＣＣＤと比較して高感度であるという特性を有しているので、例えば絞りを固定とした条件で同じ露光量を得ようとするのであれば、ＣＭＯＳセンサのほうがＣＣＤよりも早いシャッター速度を設定できる。このことから、ＣＭＯＳセンサは、ＣＣＤと比較して、高速撮影化を推し進めることが容易であり、本出願人の下でも、ＣＭＯＳセンサを撮像素子に用いた高速撮影技術が開発されており、また、出願等されているものである。そして、本実施の形態として、ＣＭＯＳセンサを採用したうえで、このような高速撮影の技術も採用しているものとされる。
【００１８】
画像信号処理部４は、光電変換部３から入力されたアナログの映像信号について、例えばゲイン調整、サンプルホールド処理を施すことによって波形整形を行ったうえで、Ａ／Ｄ変換を行うことで、デジタルとしての画像信号データに変換する。そして、この変換処理によって得られたデジタル画像信号について、例えば、カラー表示に対応する表示用輝度データ（表示用画像データ）の生成処理などをはじめ、表示部７にて表示が行われるようにするための画像信号処理を実行する。これに伴い、画像信号処理部４では、ＣＰＵ１０の制御に応じてキャラクタ画像なども撮影画像に重畳して表示可能なように、いわゆるオンスクリーンディスプレイのための信号処理も実行可能とされている。
【００１９】
また、本実施の形態のデジタルスチルカメラ１では、後述するようにして、ワイドダイナミックレンジ撮影モードに対応した撮影動作が可能とされており、これに対応して、画像信号処理部４としても、通常の撮影動作に応じた撮影画像データを生成する処理の他に、ワイドダイナミックレンジ撮影モードに応じた撮影画像（ワイドダイナミックレンジ撮影画像）を生成可能に構成されている。
【００２０】
また、画像信号処理部４は、光電変換部３から入力されたアナログ画像信号を変換して得たデジタル画像信号（撮影画像データ）について、例えば所定方式による画像データ圧縮処理を施して、圧縮画像データを生成することも可能とされている。この圧縮画像データは、記録用データとして、例えばＣＰＵ１０の制御によってメディアコントローラ１３に転送される。なお、この図では、記録用データは、ＣＰＵ１０を介するようにしてメディアコントローラ１３に転送される形態として示されている。
【００２１】
また、画像信号処理部４では、光電変換部３から入力された画像（映像）信号や、後述する記憶媒体２０から読み出された画像データなどを、所定方式のアナログ画像信号又はデジタル画像信号に変換して、画像入出力部５を介して外部機器などに出力可能とされている。
なお、画像信号処理部４は、処理対象のデータをメモリ４ａに保持させながら、これまでに説明した各種の信号処理を実行するようにされる。
【００２２】
また、この画像入出力部５は、外部から所定方式の画像信号を入力可能ともされており、この入力した画像信号を画像信号処理部４の処理を経て表示部７に表示させることが可能とされる。また、画像信号処理部４は、画像入出力部５が入力した画像信号について、光電変換部３から入力されたアナログ画像信号と同様にして、記録用データに変換してメディアコントローラ１３に転送することもできる。
これに対応して、画像入出力部５は、例えば所定方式に従った映像（画像）信号出力端子／映像信号入力端子を備える。
【００２３】
メディアコントローラ１３は、ＣＰＵ１０との連携により、所定種別の記憶媒体（メディア）２０に対応して、データの書き込み（記録）、読み出し（再生）を実行するほか、記憶媒体２０のフォーマット処理や、記憶媒体２０の記憶領域に対するファイル及びファイル管理のための情報（ファイル管理情報）などの書き込み／読み出し処理などを実行するようにされる。
なお、ここでの記憶媒体２０の種別、種類としては特に限定されるべきものではないが、現状においては、フラッシュメモリなどによるリムーバブルの記憶媒体が広く利用されている。このようなリムーバブルの記憶媒体に対応するメディアコントローラ１３の具体的構成としては、装填された記憶媒体に対してデータの書き込み、読み出しを直接的に実行するドライブとしての物理デバイスと、このドライブとＣＰＵ１０との間の通信を実現するためのプログラムなどとされる。
【００２４】
上記した説明によれば、光学系部２により撮影して得られた、静止画としての撮影画像データは、画像信号処理部４にて所定方式による圧縮符号化が施されたうえで、記録用データとしてメディアコントローラ１３に渡される。メディアコントローラ１３は、受け取った記録用データを記憶媒体２０に対して書き込んで記憶させる。このようにして記憶媒体２０に記憶されたデータは、例えばメディアコントローラ１３が実装するとされるファイルシステムなどにより、所定形式による写真画像（静止画像）のファイルとして管理される。
【００２５】
また、例えば記憶媒体２０に記憶されている静止画の画像ファイルを再生するときには、ＣＰＵ１０及びメディアコントローラ１３は、指定された画像ファイルにアクセスして読み出しを行い、画像信号処理部４に転送する。
このようにして画像ファイルが転送されてきた場合、画像信号処理部４は、この静止画ファイルの画像が表示部７にて再生表示されるように、画像信号処理を実行する。
【００２６】
また、本実施の形態のデジタルスチルカメラ１は、音声処理部８及び音声入出力部９を備えることで、音声信号の入出力も可能とされている。
音声入力については、音声入出力部９としてマイクロフォンなどを備え、外部音声の収音を行って音声信号に変換して音声を入力するようにされる。あるいは、音声信号入力端子などを備えて外部のオーディオ機器などからオーディオ信号を入力する。そして、このようにして入力した音声信号を音声処理部８に出力する。音声処理部８は、所定形式に符号化されたデジタルオーディオデータに変換するなどの音声信号処理を施す。このデジタルオーディオデータは、ＣＰＵ１０の制御によって、例えば静止画データに付随する所定形式のオーディオデータや、所定形式のオーディオデータファイルなどの記録データとして、例えば上記のようにして記憶媒体２０に記憶させることが可能とされる。
また、上記のようにして記憶媒体２０に記憶されたオーディオデータを、音声処理部８及び音声入出力部９により音声として再生出力することも可能とされる。例えば、ＣＰＵ１０は、記憶媒体２０からオーディオデータを読み出して音声処理部８に転送する。音声処理部８は、転送されてきたオーディオデータの形式に応じた復号処理など所要の音声信号処理を施して、アナログ音声信号として音声入出力部９に出力する。音声入出力部９は、スピーカあるいはヘッドフォン端子などを備え、例えば音声処理部８から入力された音声信号を増幅してスピーカを駆動し、再生音声を出力する。あるいは、ヘッドフォン端子に供給する。また、例えば記憶媒体２０から再生されたオーディオデータは、音声処理部８の音声信号処理を経た後に、音声入出力部９を介して、外部に対して所定形式のオーディオ信号、オーディオデータとして出力することも可能とされている。この場合、音声入出力部９としては、音声処理部８から出力されるオーディオ信号、オーディオデータの形式に対応するオーディオ出力端子を備えることになる。
【００２７】
ＣＰＵ(Central Processing Unit)１０は、プログラムを実行することでデジタルスチルカメラ１についての各種制御処理を実行する。ＲＯＭ１１は、ＣＰＵ１０が実行する各種プログラムのほか、ＣＰＵ１０が処理を実行するのに使用する各種設定情報などが記憶されている。ＲＡＭ１２は、ＣＰＵ１０がプログラムに従った処理を実行するときの作業領域として使用されるもので、各種の演算処理結果などのデータが保持される。
また、不揮発性メモリ１２ａは、例えばフラッシュメモリなどをはじめとした、電源供給が停止しても記憶内容が消去されない性質のメモリ素子により形成され、ＣＰＵ１０の制御によって、データの書き込み／読み出しが実行される。この不揮発性メモリ１２ａに記憶されるべきデータ（情報）としては、適宜内容の変更が行われる設定情報などが一般的であるが、特に限定されるものではなく、実際のデジタルスチルカメラ１の仕様などに応じて所要の各種の情報を記憶することとされればよい。
【００２８】
この場合の操作入力部１５は、図１に示した操作子を含み、デジタルスチルカメラ１に備えられる各種操作子を一括して示しているものとされる。例えば、この操作入力部１５における操作子としては、写真撮影時に操作されるシャッターボタン、撮影モードなどを選択する操作子、パラメータのアップ／ダウンを行うための操作子などが含まれる。また、操作入力部１５としては、例えば表示部７の表示画面部を指で触れて行う操作を実現するための、タッチパネルなどの構成を備えるようにしてもよい。
【００２９】
また、表示部７は、これまでにも説明したように、例えばモニタ画像、操作画面、記憶媒体２０から再生した画像データの画像などが表示される部位である。このような画像表示のためには、例えば先にも述べたように、画像信号処理部４がＣＰＵ１０の表示制御に応じて表示用の画像信号を生成して、表示部７に出力する。表示部７は、例えばディスプレイデバイスとして、ディスプレイパネルとその駆動回路などから成るディスプレイデバイスを備えており、入力された画像信号により表示駆動の動作を実行する。これにより、上記ディスプレイパネルとしての表示画面部７Ａにて、画像が表示されることになる。なお、表示部７として採用される実際のディスプレイデバイスについては特に限定されるべきものではないが、現状においては、前述もしたように、広くＬＣＤが採用されている。
【００３０】
通信部１６は、ＣＰＵ１０の制御に応じて、所定のデータ通信方式により外部デバイスと通信を行うためのハードウェア、ソフトウェアを実装して構成される部位である。この通信部１６が対応するデータ通信方式としては、有線、無線を問わず特に限定されるべきものではなく、また、対応するデータ通信方式の数も限定されるべきものでない。現状であれば、データ通信方式としては、有線ではEthernet（商標）などのネットワーク、ＵＳＢ(Universal Serial Bus)、IEEE1394などのデータバス規格などを挙げることができる。また、無線であれば、Bluetooth（商標）などのデバイス間近距離無線通信、IEEE802.11a/b/gなどの無線ＬＡＮ(Local Area Network)規格を挙げることができる。
【００３１】
電源部１７は、デジタルスチルカメラ１における各種のハードウェアデバイスに対して動作電源を供給するもので、例えばバッテリや電源アダプタからの電力供給を受けて動作する電源回路などを備えて構成される。
【００３２】
上記構成を有する本実施の形態のデジタルスチルカメラ１は、通常の自動露出(Automatic Exposure)制御を伴う撮像動作を実行する通常ＡＥ撮影に加えて、ワイドダイナミックレンジ(ＷＤＲ：Wide Dynamic Range)撮影を実行可能とされている。
デジタルスチルカメラ１におけるＷＤＲ撮影に対応した動作については後述するが、ＷＤＲ撮影とは、次のような撮影の動作をいう。
【００３３】
ＷＤＲ撮影では、先ず、例えば１回のシャッターボタン操作や、１回のセルフタイマー撮影などに対応する１回の写真撮影指示に応答した撮影動作として、例えば所定の複数回の撮影処理を、それぞれ異なる露光量（露出条件：パラメータは絞り値及びシャッター速度）を設定して実行するようにされる。これにより、異撮影処理回数に応じた複数の撮影画像データ（静止画像データ）を素材画像データとして得ようとするものである。このようにして得られた複数の素材画像データとしては、それぞれ、同じとされる被写体を撮影したものでありながら、異なる露光量設定により撮影された画内容を有することになる。
なお、ここでいう撮影処理とは、１回分のシャッターの開閉を伴う撮像（撮像光の取り込み）と、及びこの撮影に基づいて得られた画像信号を、例えば１つの静止画像データ（素材画像データのことである）として生成するための信号処理とをいう。
【００３４】
上記したＷＤＲ撮影における複数回の撮影処理としての動作は、図１に示した本実施の形態のデジタルスチルカメラ１の構成では、例えば次のようになる。
先ず、ＷＤＲ撮影にあたっては、先ず、ＣＰＵ１０の処理として、所定複数回の撮影処理ごとに応じた複数の露出条件を求めるようにされる。本実施の形態にあって、これら複数の露出条件をどのようにして求めるについては、後述する。また、確認のために述べておくと、スチルカメラにあって一般に露出条件を決定するパラメータは、絞り値（Ｆ値）とシャッター速度であり、本実施の形態としても、これに従う。
そして、上記のようにして複数の露出条件を求めたとすると、これらの露出条件を実際に設定したうえで、所定複数回の撮影動作を実行するようにされる。つまり、求められた複数の露出条件における、１つの露出条件である絞り値（Ｆ値）とシャッター速度を、カメラ機能部６に指示して光学系部２を制御して、１回のシャッター開閉を伴った撮像を実行させる。そして、画像信号処理部４により、この撮像により得られた画像信号から１つの所定形式の静止画像データを生成するための信号処理を実行し、この生成した画像データを素材画像データとして、例えばメモリ４ａに保持させるようにしておく。これが１回の撮影処理となるものであり、このような撮影処理を、露出条件を変更設定しながら、所定回数だけ実行していくようにされる。
また、このようにして、複数回の撮影処理を実行するのにあたっては、これらの撮影処理によって撮影される画像内容が同じになることを配慮して、比較的短時間のうちに連続して行うようにされる。本実施の形態では、先に述べたようにして、固体撮像素子にＣＭＯＳセンサを採用していることで、高速撮影が可能とされている。つまり、１回の撮影処理における撮像光の取り込みに要する時間をこれまでよりも短縮することが可能とされており、この点で、本実施の形態のデジタルスチルカメラ１は、ＷＤＲ撮影に好適な構成を有しているといえる。
【００３５】
上記のようにして、必要回数の撮影処理を実行した後には、これらの撮影処理ごとに得られた素材画像データが、メモリ４ａに保持されていることになる。そして、このようにしてメモリ４ａに保持される複数の素材画像データでは、例えば、或るものについては、全体若しくは或る部分について、いわゆる白飛びあるいは黒つぶれ、又はこれに近い状態となって、全体的に明るすぎたり、あるいは暗すぎたりするような画内容になってしまっているとしても、他の素材画像データでは、その部分について、白飛びあるいは黒つぶれの傾向が緩和されて、相対的に良い露出の画となっていることが期待される。あるいは、或る素材画像データでは、コントラストが低くすぎる若しくは高すぎるのに対して、他の素材画像データでは、相対的に良いコントラストが得られているようなことも期待される。このことからすると、例えば、異なる露光量により撮影された複数の素材画像データの間で、上記したように、より良いとされる画が得られている部分を利用してしかるべき合成処理を実行して１つの画像データを再生成すれば、通常のＡＥ制御による撮影の場合と比較して、画像全体においてより良い露出の画像を得ることが期待できることになる。
【００３６】
そこでＷＤＲ撮影では、上記のようにして得た複数枚の撮影画像データ（素材画像データ）から、例えば、できるだけ良好な露出により撮影されたとする画像部分を抜き出し、これらの抜き出した画像部分をつなぎ合わせるようにして合成して１枚分の画像データ（ＷＤＲ撮影画像データ）を生成するようにされる。
【００３７】
このようにして得られたＷＤＲ撮影画像データとしては、例えば、通常のＡＥ制御により撮影を行って得た撮影画像データと比較すると、画面全体にわたって暗すぎたり、あるいは明るすぎたりすることなく、また、コントラストもより適正に近いとされるような画内容に改善されていることが期待されることになる。つまり、ＷＤＲ撮影モードによっては、通常のＡＥ制御による撮影では良好な露出の画像を撮影しにくいような場合において、露出が改善された撮影画像を得ることが可能になるものである。
なお、ＷＤＲ撮影により得られる画像データは、例えば、通常ＡＥ撮影による撮影画像データと比較すると、輝度（明るさ）のダイナミックレンジが拡大される傾向となる。ＷＤＲは、このことに基づく名称である。
【００３８】
そして、本実施の形態のデジタルスチルカメラ１では、上記した動作によるＷＤＲ撮影が可能なように構成されたうえで、撮影モードとして、少なくとも、通常のＡＥ制御による撮影を行う通常ＡＥ撮影モードと、ＷＤＲ撮影を行うＷＤＲ撮影モードとの間での切り換えが行われるように構成される。なお、撮影モードには、これ以外に、例えば露出条件の設定などを含めて、フォーカシングなども手動により設定して撮影できるようにした、いわゆるマニュアルモードなども含められてよいものである。
【００３９】
ここで、上記したＷＤＲ撮影モードに切り換えられているときの撮影記録動作についてであるが、順当に考えれば、通常ＡＥ撮影モードと同様とすることが考えられる。つまり、通常ＡＥ撮影モードでは、１回の写真撮影指示に応答した撮影動作として、１回の撮影処理を実行することで、写真１枚分の撮影画像データを生成し、これを記憶媒体２０に記憶させる。これと同様に、ＷＤＲ撮影モードでも、１回のシャッターボタン操作などに応じて、１回分のＷＤＲ撮影としての撮影、信号処理動作（所定複数回の撮影処理から成る）を実行して、写真１枚分としてのＷＤＲ撮影画像データを生成し、これを、記憶媒体２０に記憶させるものである。
しかし、ＷＤＲ撮影画像データの画内容は、通常ＡＥ撮影により得られる画像（通常ＡＥ撮影画像）よりも良好な露出状態のものとなることが期待されはするものの、ＷＤＲ撮影画像データ生成のための信号処理機能が、実際の撮影時における周囲の照明環境が非常に多様であることに対応しきれないことなどの理由で、現実には、ＷＤＲ撮影画像が、通常ＡＥ撮影画像よりも露出の改善された画内容になるとは限らないことが分かっている。特に、通常ＡＥ撮影によっても充分に良好な画内容を撮影できるような環境では、かえって、ＷＤＲ撮影画像よりも通常ＡＥ撮影画像のほうが露出状態として良好となる可能性は高くなる。
上記のようなことを考慮すると、ＷＤＲ撮影モードとされているときに、一律に、撮影操作に応じてＷＤＲ撮影画像のみを生成して記録させることとした場合には、本来であれば、例えば通常ＡＥ撮影を行ったほうが良質な画像を記録することができるのに、その機会を逸する可能性がでてきてしまうことになる。このようなことは、できるだけ良い画質で撮影したいと思っているはずのユーザにとって不利益となる。そこで、本実施の形態のデジタルスチルカメラ１としては、例えば上記の不都合が回避されるようにすることを目的として、ＷＤＲ撮影モードに関して、以降の説明のようにして構成する。
【００４０】
先ず、図３により、撮影モードとしてＷＤＲ撮影モードを設定する際の操作手順例について説明する。
例えばユーザが、撮影モードについての切り換え、変更を行おうとした場合には、操作入力部１５としての所定の操作子、または表示部７の表示画面に対して設けられるタッチパネルに対する操作など、所定の操作を行って、表示部７の表示画面部７Ａに対して、図３（ａ）に示す撮影モード選択画面を表示させるようにする。
この図３（ａ）に示される撮影モード選択画面においては、例えば「通常ＡＥ撮影モード」と表記されたモード選択ボタンＢｔ１と、「ＷＤＲ撮影モード」と表記されたモード選択ボタンＢｔ２と、ＯＫボタンＢｔ３が、所定のレイアウトパターンにより表示されている。そのうえで、モード選択ボタンＢｔ１、Ｂｔ２の何れかに対して、選択指示枠Ｗｋ１が表示されるようになっている。選択指示枠Ｗｋ１は、モード選択ボタンＢｔ１に表記される通常ＡＥ撮影モードと、モード選択ボタンＢｔ２に表記されるＷＤＲ撮影モードとで、現在、何れの撮影モードが選択されている状態にあるのかを示す。
ユーザは、操作入力部１５に対する操作により、例えばモード選択ボタンＢｔ１、Ｂｔ２の押圧に相当する所定操作を行うことができるようにされている。例えばモード選択ボタンＢｔ１に対する押圧操作を行えば、図３（ａ）に示されているとおりに、モード選択ボタンＢｔ１に対して選択指示枠Ｗｋ１が配置表示され、現在、通常ＡＥ撮影モードが選択されていることが示される。また、例えばこの状態から、モード選択ボタンＢｔ２に対する操作を行えば、選択指示枠Ｗｋ１は、このモード選択ボタンＢｔ２に移動して配置表示され、ＷＤＲ撮影モードが選択中であることを示す。
ユーザは、上記のようにして、自分が設定したい撮影モードが表記されるモード選択ボタンに対して選択指示枠Ｗｋ１を配置させたうえで、その選択を確定させる場合には、ＯＫボタンＢｔ３の押圧に相当する操作を行うようにされる。これにより、ＯＫボタンＢｔ３の操作時において選択指示枠Ｗｋ１が配置されていたモード選択ボタンに対応する撮影モードが設定されることになる。つまり、モード選択ボタンＢｔ１に選択指示枠Ｗｋ１が配置されていた状態でＯＫボタンＢｔ３が操作されたのであれば、通常ＡＥ撮影モードが設定されることになる。これに対して、モード選択ボタンＢｔ２に選択指示枠Ｗｋ１が配置されていた状態でＯＫボタンＢｔ３が操作された場合には、ＷＤＲ撮影モードが選択決定されることになるのであるが、ＷＤＲモードが選択決定された場合には、さらに、ＷＤＲ撮影モード下におけるサブモードである、保存画像確定モードを選択するようにされる。このために、表示画面部７Ａには、図３（ｂ）に示される保存画像確定モード選択画面が表示されることになる。
【００４１】
本実施の形態のＷＤＲ撮影モードにあっては、後述もするようにして、１回の写真撮影指示に応答した撮影動作として、ＷＤＲ撮影画像データを生成して取得するためのＷＤＲ撮影動作だけではなく、通常ＡＥ撮影動作も実行することとして、通常ＡＥ撮影画像データも生成、取得するようにされる。つまり、１回の写真撮影指示に応答した撮影動作により、同じ被写体内容で、ＷＤＲ撮影画像データと通常ＡＥ撮影画像データを得るようにされる。そして、最終的には、両者の撮影画像データのうちから何れか一方を、正規の撮影画像データとして選択するようにされ、選択した撮影画像データが、例えば通常ＡＥ撮影モードにより撮影記録された画像データと同様の扱いで、記憶媒体２０に正式に保存すべき画像データとして記憶されることになる。
保存画像確定モードとは、上記のようにしてＷＤＲ撮影により得られたＷＤＲ撮影画像データと通常ＡＥ撮影画像データのうちから記憶媒体２０に正式に保存すべき画像データを選択（確定）することに関して用意されたモードであり、図３（ｂ）の保存画像確定モード選択画面は、この保存画像確定モードをユーザが選択決定するための操作画面とされる。
【００４２】
この場合の保存画像確定モードでは、先ず、保存画像を確定する機会について、撮影時と再生時とで場合分けされる。また、保存画像を確定するのにあたり、これを手動（ユーザ操作）に応じて実行するのか、あるいはデジタルスチルカメラ１により自動で実行するのかで場合分けするようにされる。従って、保存画像確定モードは、これらの場合の組み合わせとなるものであり、「撮影時／手動モード」、「撮影時／自動モード」、「再生時／手動モード」、「再生時／自動モード」の４モードを用意することになる。
これに応じて、図３（ｂ）の保存画像確定モード選択画面にあっては、保存画像を確定する機会を選択するためのボタンとして、「撮影時」と表記されるモード選択ボタンＢｔ１１と、「再生時」と表記されるモード選択ボタンＢｔ１２が表示されている。また、この図においてモード選択ボタンＢｔ１１に配置表示される選択指示枠Ｗｋ１１は、モード選択ボタンＢｔ１１とモード選択ボタンＢｔ１２の間で移動することで、保存画像を確定する機会として、撮影時と再生時の何れが選択中にあるのかを示す。また、手動と自動との何れかを選択するためのボタンとして、「手動」と表記されるモード選択ボタンＢｔ２１と、「再生時」と表記されるモード選択ボタンＢｔ２２が表示されている。ここでモード選択ボタンＢｔ２２に配置表示されている選択指示枠Ｗｋ２１は、モード選択ボタンＢｔ２１とモード選択ボタンＢｔ２２の間で移動することで、手動と自動の何れが選択中にあるのかを示す。
ＯＫボタンＢｔ３は、保存画像確定モード選択画面の選択内容を確定させるときに操作されるべき表示ボタンである。
【００４３】
ユーザは、保存画像を確定する機会を選択するために、モード選択ボタンＢｔ１１、Ｂｔ１２の何れかに対する押圧に相当する操作を行うようにされる。選択指示枠Ｗｋ１１は、この操作が行われたモード選択ボタンに移動するようにして配置表示されることで、保存画像を確定する機会として、「撮影時」と「再生時」の何れが選択されているのかを示すようにされる。
また、ユーザは、保存画像確定の決定の仕方として、手動と自動の何れにより実行されるべきなのかを選択するために、モード選択ボタンＢｔ２１、Ｂｔ２２の何れかに対する押圧相当の操作を行うようにされ、この操作に応じて選択指示枠Ｗｋ２１は、操作が行われたモード選択ボタンに配置表示され、これにより、「手動」と「自動」の何れが選択されているのかを示す。
そして、上記のようにして、「撮影時」／「再生時」と、「手動」／「自動」とでそれぞれ、ユーザが希望するものが選択されていることを確認したうえで、ユーザは、ＯＫボタンＢｔ３に対する押圧相当の操作を行うようにされる。これにより、保存画像確定モードとして、上記した４つのモードのうちから、何れか１つが確定されることになる。
【００４４】
次に、上記保存画像確定モードとして、先ず、「撮影時／手動モード」が設定されている場合のＷＤＲ撮影モードにおける動作例を、そのときのユーザによる操作手順と共に説明する。
ＷＤＲ撮影モードとされている状態にあって、例えば、特に操作が行われていない状態では、通常の撮影モード時と同様にして、本実施の形態のデジタルスチルカメラ１の表示部７の表示画面部７Ａには、モニタ画像として、光学系部２により撮像しているとされる画像を表示させているものとされる。
そして、ユーザが、写真の撮影記録のためにシャッターボタン３１に対する操作を行ったとする。あるいはセルフタイマーを動作させてタイマー時間が経過したとする。すると、デジタルスチルカメラ１では、例えば先ず、通常のＡＥ制御による撮影動作を実行し、これに続けてＷＤＲ撮影の動作を実行させる。確認のために述べておくと、ここでのＷＤＲ撮影とは、先に説明したように、異なる露出条件設定により複数回の撮影処理を実行し、この複数回の撮影処理により得られた素材画像データを利用して再合成を行ってＷＤＲ撮影画像データを生成する動作をいうものである。
このようにして、本実施の形態のＷＤＲ撮影モードにあっては、１回の写真撮影指示に応答した撮影動作として、ＷＤＲ撮影を行ってＷＤＲ撮影画像データを生成するのみではなく、通常ＡＥ撮影も実行して通常ＡＥ撮影画像データを生成するようにされる。つまり、本実施の形態のＷＤＲ撮影モードでは、共通の被写体内容を撮影した、ＷＤＲ撮影画像データと通常ＡＥ撮影画像データとの２つの撮影画像データを得るようにされる。
なお、ここでは、保存画像確定モードとして「撮影時／手動モード」が設定されている場合の説明を行っているが、上記のようにして、１回の写真撮影指示に応答して共通の被写体内容のＷＤＲ撮影画像データ及び通常ＡＥ撮影画像データを得るという動作は、保存画像確定モードにおける他のサブモード（「撮影時／自動モード」「再生時／手動モード」、「撮影時／自動モード」）でも同様である。
また、上述のようにしてＷＤＲ撮影画像データと通常ＡＥ撮影画像データとで共通の被写体内容が撮影されるようにするためには、通常ＡＥ撮影と、これに続くＷＤＲ撮影の動作は、例えば、光学系部２にて撮像しているとされる被写体内容として同じものが容易に得られるとされる程度の短時間（例えば１秒程度以内）のうちに実行する必要がある。この点については、先に説明したように、本実施の形態のデジタルスチルカメラ１が光学系部２における撮像素子としてＣＭＯＳセンサを備えており、これにより撮影速度の高速化を図ることとしているために、容易に実現可能とされる。なお、かかる撮影速度の高速化技術については、これまでに開発、提案されて周知となっているものを採用すればよく、さらに、将来的には、以降において提案される技術を採用すればよい。
【００４５】
そして、これまでの説明のようにして、ＷＤＲ撮影画像データと通常ＡＥ撮影画像データを生成して得たとされると、「撮影時／手動モード」では、表示画面部７Ａに、図４（ａ）に示す保存画像選択画面が表示される。
図４（ａ）に示される保存画像選択画面は、今回の撮影により得られた、共通の被写体についてのＷＤＲ撮影画像データと通常ＡＥ撮影画像データのうちから、記憶部２０に写真画像のファイルとして正式（正規）に記憶保存すべき撮影画像データ（正規撮影画像データ）をユーザに選択させるための操作画面とされる。
この保存画像選択画面においては、例えば、画面左側において、通常ＡＥ撮影画像データを画像として表示させた通常ＡＥ撮影画像表示領域Pic1を配置することとしている。また、その右側に、ＷＤＲ撮影画像データを画像として表示させたＷＤＲ撮影画像表示領域Pic2を配置させている。また、これら通常ＡＥ撮影画像表示領域Pic1、ＷＤＲ撮影画像表示領域Pic2のそれぞれにおける所定位置には、その画像についての、輝度範囲に対する画素数分布を示すヒストグラムを表示させた、ヒストグラム表示領域ＡＲｈ1、ＡＲｈ2を重畳表示させるようにしている。
また、上記通常ＡＥ撮影画像表示領域Pic1の上側には、ユーザが通常ＡＥ撮影画像を正規撮影画像データとして選択するための操作に用いる画像選択ボタンＢｔ３１を配置表示している。また、同様にして、上記ＷＤＲ撮影画像表示領域Pic2の上側には、ユーザがＷＤＲ撮影画像を正規撮影画像データとして選択するための操作に用いる画像選択ボタンＢｔ３２を配置表示している。
また、画面右下側には、撮影画像の選択を確定させるためのＯＫボタンＢｔ３３を配置表示させている。
【００４６】
先の説明から理解されるように、1回のＷＤＲ撮影により得られるＷＤＲ撮影画像データと通常ＡＥ撮影画像データは、同じ被写体内容を撮影しているものとされるので、通常ＡＥ撮影画像表示領域Pic1とＷＤＲ撮影画像表示領域Pic2に表示される画像内容としては、同じ被写体、構図となっている。そのうえで、通常ＡＥ撮影とＷＤＲ撮影の違いに応じて、画像の明るさ、コントラストなどが異なっていることになる。
ユーザは、上記のようにして通常ＡＥ撮影画像表示領域Pic1とＷＤＲ撮影画像表示領域Pic2に表示されている画像を見ることで、どちらが良好に撮影されているものであるのかを一目で認識することができる。
そのうえで、通常ＡＥ撮影画像表示領域Pic1とＷＤＲ撮影画像表示領域Pic2のそれぞれにおいて表示されるヒストグラム表示領域ＡＲｈ1、ＡＲｈ2を見て参考にすることで、どちらが良好に撮影されているのかについての判断を、より的確に行えることになる。よく知られていることであるが、ヒストグラムは、露出についての適正性を図る指標として最も主要なものの一つとされる。
このようにして、ユーザは、保存画像選択画面を見て、通常ＡＥ撮影画像とＷＤＲ撮影画像のうちで、何れの撮影画像が良好に撮影されているのかを判定するようにされる。そして、ユーザは、良好に撮影されていると判定したほうの撮影画像の表示領域に対応して配置されている画像選択ボタンの押圧に相当する操作を行うようにされる。この図の場合においては、ユーザは、ＷＤＲ撮影画像のほうが良好であると判断して、これに対応する画像選択ボタンＢｔ３２に対する押圧操作を行ったものとされている。この操作に応じて、保存画像選択画面においては、図４（ｂ）に示すようにして、ＷＤＲ撮影画像に対応する画像選択ボタンＢｔ３２が強調表示され、現在において正規撮影画像データの候補としてＷＤＲ撮影画像のほうが選択されていることを示すようにされる。
そして、上記の状態の下で、ユーザがＯＫボタンＢｔ３３の押圧に相当する操作を行ったとされると、ＷＤＲ撮影画像データが、正規画像データとして決定されることになる。つまり、通常ＡＥ撮影画像データとＷＤＲ撮影画像データとで、ＯＫボタンＢｔ３３を操作したときに強調表示されていた画像選択ボタンに対応するほうの撮影画像データが正規撮影画像データとして扱われることになる。つまり、今回の撮影に応じて、記憶媒体２０に対して写真画像ファイルとして記憶されるべき画像データとなる。
そこで、デジタルスチルカメラ１においては、正規撮影画像データとされたＷＤＲ撮影画像データを、記憶媒体２０に対して写真画像ファイルとして記憶させる。また、正規撮影画像データとして選択されなかった通常ＡＥ撮影画像データについては、破棄するようにされる。
【００４７】
このようにして、例えばＷＤＲ撮影モードにおいて、保存画像確定モードが「撮影時／手動」とされている場合には、ＷＤＲ撮影モードとしての１回の撮影により、通常ＡＥ撮影画像データとＷＤＲ撮影画像データが得られるごとに図４の保存画像選択画面を表示させて、何れの撮影画像データが良好に撮影されているのかをユーザが判断して選択するようにされる。このような撮影時の操作手順と機器の動作であれば、正規撮影画像データの選択にあたっては、ユーザは、先ず、実際に、通常ＡＥ撮影とＷＤＲ撮影により撮影された画像を見比べることができる。そのうえで、ヒストグラムも見比べて、これらによる総合的な判断を行うことが可能とされている。
例えば特許文献１などでは、本実施の形態のＷＤＲ撮影についての可否判断のために、多様な撮像制御のパラメータを提示することが記載されているが、このようにして多数のパラメータを提示したのでは、むしろユーザが迷ったり、混乱したりする可能性が高くなり、かえって不便になる場合もあると考えられる。
これに対して、本実施の形態では、上記もしているように、撮影画像と、ヒストグラムを見比べるだけでよい。撮像画像は、実際の撮影結果を視覚的に提示するものであり、ヒストグラムは、露出の良否を的確に示す指標である。つまり、本実施の形態では、撮像画像内容とヒストグラムという、必要最小限とみて良い判定材料により、正規撮影画像データを選択するための判定が的確に行えるようにされているものであり、ユーザにとっては、それだけ使いやすいものとなる。
また、判定材料がヒストグラム情報のみとされることで、正規撮影画像データの確定に関して必要となるハードウェア緒及びソフトウェア構成についても簡易に構成することができ、設計面などについても有利となる。
【００４８】
なお、保存画像選択画面については、比較対象となる通常ＡＥ撮影画像とＷＤＲ撮影画像、及び、これらの画像のヒストグラムが表示され、かつ、ユーザの選択操作が可能なボタン表示などが行われていさえすれば、その表示態様は図４に示したもの以外にも多様に考えられる。
そこで、このような画像保存画面としての他の表示態様例を図５に示しておく。なお、図５において、図４（ａ）（ｂ）と同一部分については同一符号を付して説明を省略する。
図５に示す画像保存画面では、通常ＡＥ撮影画像表示領域Pic1とＷＤＲ撮影画像表示領域Pic2の領域内にヒストグラム表示領域ＡＲｈ１、ＡＲｈ2を図４のようにして表示させるのではなく、通常ＡＥ撮影画像表示領域Pic1及びＷＤＲ撮影画像表示領域Pic2とは独立した領域により、１つのヒストグラム表示領域ＡＲｈを配置表示させることとしている。このヒストグラム表示領域ＡＲｈには、通常ＡＥ撮影画像表示領域Pic1に表示される通常ＡＥ撮影画像のヒストグラムと、ＷＤＲ撮影画像表示領域Pic2に表示されるＷＤＲ撮影画像のヒストグラムとが、重ね合わされるようにして表示されているものである。なお、これら２つのヒストグラムと、通常ＡＥ撮影画像及びＷＤＲ撮影画像との対応の区別をユーザが行えるようにするには、例えばヒストグラムについて色分けを行ったり、あるいは、ヒストグラム表示領域ＡＲｈ内において、撮影画像を明示する文字、デザイン絵柄などを挿入してヒストグラムを指し示したりするなどすればよい。
【００４９】
ところで、これまでに説明した「撮影時／手動モード」では、１回の撮影ごとに、逐一、図４（又は図５）に示した保存画像選択画面を表示させて、ユーザに正規撮影画像データの選択決定を促すようにされる。このようなユーザインターフェイスであれば、撮影が行われるごとに正規撮影画像データが決定されていくことになり、後において正規撮影画像データ選択のための面倒な作業が残らないことになる。また、後において正規撮影画像データ選択を行えるようにするには、そのときまで、１回の撮影に応じて得られた通常ＡＥ撮影画像データとＷＤＲ撮影画像データの両方を、正規撮影画像データとしての選択が未確定なものとして管理されるようにして、デジタルスチルカメラ１におけるどこかの記憶領域（例えば記憶媒体２０、不揮発性メモリ１２ａなど）に記憶保持させておく必要がある。これに対して、「撮影時／手動モード」であれば、このような必要はないことから、例えば記憶領域の容量が節約されて有効に利用することができる。
【００５０】
ただし、１回の撮影が行われるごとに保存画像選択画面が表示されて正規撮影画像データの選択を要求されるということについては、上記のような利点がある反面、例えば、撮影機会を逃す可能性が高くなるという不都合が生じる可能性が高くなるものであり、この点では、トレードオフの関係が生じる。
このようなことを考慮して、本実施の形態としては、画像確定モードにおける確定の機会については、「撮影時」に対するものとして「再生時」を設けることとしているものである。
【００５１】
そして、例えば画像確定モードが「再生時／手動モード」とされる場合には、次のようなデジタルスチルカメラ１としての機器の動作と、ユーザの操作手順となるものである。
先ず、画像確定モードが「再生時／手動モード」とされているときには、例えばシャッターボタン操作などに応答した1回のＷＤＲ撮影ごとに生成される通常ＡＥ撮影画像データ及びＷＤＲ撮影画像データを、正規撮影画像データ確定前の撮影画像データであり、正規撮影画像データとは異なる種類のデータであるとして管理して、記憶媒体２０あるいは不揮発性メモリ１２ａなどのデジタルスチルカメラ１において設けられる不揮発性の記憶領域に書き込んで保持しておくようにされる。つまり、この場合には、撮り貯めを行っていくようにして、ＷＤＲ撮影が行われるごとに生成される通常ＡＥ撮影画像データ及びＷＤＲ撮影画像データの組を記憶していくようにされる。なお、ここでは、次に説明する再生モード時の動作とすることに応じて、これらの通常ＡＥ撮影画像データ及びＷＤＲ撮影画像データの組を、記憶媒体２０に記憶させることとする。
そして、一旦、ＷＤＲ撮影モードを解除して、再生モードに移行させたとする。再生モードにあっては、先ず、基本動作として、ユーザの操作に応じて、記憶媒体２０に写真画像ファイルとして記憶されている画像データを選択できるようになっており、選択された画像データを、表示部７により再生表示させることができる。そのうえで、本実施の形態のデジタルスチルカメラ１では、この正規の写真画像ファイルとして確定される前の、ＷＤＲ撮影により生成された通常ＡＥ撮影画像データ及びＷＤＲ撮影画像データの組（未確定画像ファイル）についても、記憶媒体２０に記憶されているデータのリストから選択可能とされている。そして、この未確定画像ファイルを選択した場合には、通常の画像データファイルの再生表示画像に代えて、図４又は図５に示した保存画像選択画面が表示される。
この保存画像選択画面には、上記のようにして選択した未確定画像ファイルとしての通常ＡＥ撮影画像データ及びＷＤＲ撮影画像データの画像が、通常ＡＥ撮影画像表示領域Pic1とＷＤＲ撮影画像表示領域Pic2に表示される。そしてユーザは、先の説明と同様にして、これらの画像を対象として選択の判断を行いＯＫボタンＢｔ３３を操作するようにされる。これにより、これまで未確定画像ファイルとして扱われていた通常ＡＥ撮影画像データ及びＷＤＲ撮影画像データのうちで、選択指定されたほうの撮影画像データが正規撮影画像データとなり、改めて、正規の写真画像ファイルとして管理されるようにして、記憶媒体２０に記憶される。また、選択されなかったほうの撮影画像データは、記憶媒体２０から消去される。つまり、これまでの未確定画像ファイルは記憶媒体２０から削除される代わりに、新たに正規撮影画像データとして選択指定された撮影画像データを、写真画像ファイルとして記憶させることになる。
【００５２】
上記のような動作と操作手順であれば、ＷＤＲ撮影により生成される通常ＡＥ撮影画像データとＷＤＲ撮影画像データを対象とする正規撮影画像データについての選択は、ＷＤＲ撮影を好きなだけ行って撮り貯めておいた後に、まとめて行うことができる。つまり、ＷＤＲ撮影モードによる撮影中にあっては、正規撮影画像データの選択操作を行う必要が無くなって、撮影機会を逸することがない。また、この場合には、先の説明のようにして、未確定画像ファイルとして、実質的に２枚分の撮影画像データを保存することになるので、それだけ記憶媒体２０の記憶容量を圧迫することにはなるのであるが、近年においては、写真画像データの記憶に用いられる実際の記憶媒体の容量も比較的低コストで大容量化が得られるようになってきているので、特に重大な問題となるものではない。
【００５３】
ここまでの画像確定モードについての説明により、「撮影時／手動モード」と「再生時／手動モード」についての説明を行ったが、画像確定モードとしては、他に「撮影時／自動モード」と「再生時／自動モード」とが用意される。
これらのモードは、何れも、正規撮影画像データを選択するための、通常ＡＥ撮影画像とＷＤＲ撮影画像の品質の判定と、この判定結果に応じた選択決定とを自動実行するモードとされる。そして、上記のような正規撮影画像データ選択の自動実行を、「撮影時／自動モード」では、１回のＷＤＲ撮影が実行されるごとに、そのＷＤＲ撮影により得られた通常ＡＥ撮影画像データとＷＤＲ撮影画像データを対象として行うようにされる。これに対して、「再生時／自動モード」では、ＷＤＲ撮影が実行されるごとに、そのＷＤＲ撮影により得られた通常ＡＥ撮影画像データとＷＤＲ撮影画像データの組を未確定画像ファイルとして記憶保持しておくようにされる。この動作は、「再生時／手動モード」と同様である。そして、例えば再生モードにおいて、再生表示すべき画像として、未確定画像ファイルを選択したとすると、この選択された未確定画像ファイルを対象として、正規撮影画像データの選択処理を、自動的に実行するようにされる。
なお、この正規撮影画像データの選択処理を自動実行するのにあたっては、どちらが良好な画内容であるのかを判定するために、それぞれの画像のヒストグラムの情報を用いるようにされる。そして、正規撮影画像データとして選択されたほうの撮影画像データを、写真画像ファイルとして記憶異媒体２０に記憶させ、選択されなかったほうの撮影画像データは消去するようにされる。
【００５４】
このようにして、画像確定モードとして、正規撮影画像データ選択を自動実行させた場合、ユーザ自身による画像の良否判断は反映されなくはなる。しかし、その判定にあたっては、露出についての良否判定には適切とされるヒストグラムを用いることで、相応に高い精度の判定結果の得られることが期待される。つまり、画像確定モードについて「撮影時／自動モード」又は「再生時／自動モード」とすることによっては、ユーザ自身が画像の確認、判定や選択家決定操作を行わなくとも、在る水準以上の精度により正規撮影画像データが選択されることになり、特に簡易な操作で済ませたいと望むユーザにとっては高い利便性が得られるものである。
また、「撮影時／自動モード」と「再生時／自動モード」との比較では、まず、「撮影時／自動モード」とすれば１回のＷＤＲ撮影ごとに正規撮影画像データの選択処理が自動実行されるので、「撮影時／手動モード」の場合と同様にして、記憶領域の容量を圧迫しないという利点が得られる。一方、「再生時／自動モード」とすれば、１回の撮影ごとに正規撮影画像データの選択処理が実行されることがなくなるが、この点が利点となる。つまり、１回の撮影ごとに正規撮影画像データの選択処理が実行される場合、この選択処理が実行されている期間は、デジタルスチルカメラ１が他の動作を実行できない、あるいは選択処理がバックグラウンド処理とされて、他の処理が併行して実行できるとしても、その処理が重くなるなどの結果を生む可能性がある。「再生時／自動モード」では、このようなことは生じない。
【００５５】
これまでの説明をふまえて、本実施の形態のＷＤＲ撮影モードに関連したデジタルスチルカメラ１の処理手順例を、図６〜図８のフローチャートにより示す。
なお、これらのフローチャートにより示される処理手順は、例えば、ＣＰＵ１０が、ＲＯＭ１１あるいは不揮発性メモリ１２ａに記憶されているプログラムを実行して実現されるものであると捉えることができる。このようなプログラムは、上記のようにして、例えばＲＯＭ１１あるいは不揮発性メモリ１２ａに対して製造時などに書き込んで記憶させるほか、リムーバブルの記憶媒体に記憶させておいたうえで、この記憶媒体からインストールさせるようにしてデジタルスチルカメラ１におけるしかるべき記憶装置（不揮発性メモリ１２ａなど）に記憶させることが考えられる。また、ネットワーク上のサーバなどにおける記憶装置に記憶させておいたうえで、デジタルスチルカメラ１にネットワーク機能を持たせることとし、サーバからダウンロードして取得して所定の記憶装置にインストールさせることも考えられる。
【００５６】
先ず、図６のフローチャートは、撮影モードとしてＷＤＲ撮影モードが設定されている場合における、撮影記録実行のための手順例を示している。
先ず、ステップＳ１０１においては、写真撮影のための１回のシャッターボタン操作、あるいはセルフタイマー撮影におけるタイマー時間の満了などに応じて、写真撮影指示が発生されるのを待機している。そして、この写真撮影指示が発生されたとすると、ステップＳ１０２以降の手順に進む。
【００５７】
ステップＳ１０２においては、通常ＡＥ撮影としての動作を実行させる。つまり、そのときの撮像画像の状態、若しくは、デジタルスチルカメラ１の本体に設けられる露出計の計測値などから取得した露出（露光量）に基づいて、カメラ機能部６を制御して、露光条件として、例えば絞り値（Ｆ値）及びシャッター速度の各パラメータを設定するようにされる。そして、この設定した露光条件の下で、光学系部２から画像信号処理部４に至る系を制御して撮影処理を実行させ、１枚分の静止画像データである、通常ＡＥ撮影画像データを生成させる。そして、次のステップＳ１０３において、上記ステップＳ１０２により生成した通常ＡＥ撮影画像データを、例えばメモリ４ａに保持させておくようにする。
【００５８】
上記のようにして、通常ＡＥ撮影により通常ＡＥ撮影画像データを得たとされると、次は、ステップＳ１０４により、ＷＤＲ撮影を実行するようにされる。これまでにも説明したように、ＷＤＲ撮影は、異なる露出条件により所定複数回の撮影処理を実行して複数の素材画像データを得て、これを合成して１つの撮影画像データ（ＷＤＲ撮影画像データ）を生成するものである。
【００５９】
上記ステップＳ１０４としてのＷＤＲ撮影についての手順例を、図７のフローチャートに示す。
図７に示される手順として、先ず、ステップＳ２０１では、先のステップＳ１０２により実行した通常ＡＥ撮影を実行したときに設定され、例えばレジスタに格納していたとされる露出条件のパラメータ（絞り値及びシャッター速度の値）を読み込んで取得する。
そして、次のステップＳ２０２においては、上記ステップＳ２０１により取得した通常ＡＥ撮影のための露出条件のパラメータを基として、今回のＷＤＲ撮影において設定すべき露出条件のパラメータセット１〜ｎを決定するようにされる。１つのパラメータセットは、ＷＤＲ撮影としての複数回の撮影処理における１回の撮影処理に用いられる露出条件のパラメータである絞り値及びシャッター速度の指定値の組を指す。そして、パラメータセット１〜ｎのそれぞれは、ＷＤＲ撮影における１回目の撮影処理から最後のｎ回目の撮影処理ごとに対応したパラメータセットとなるものである。ステップＳ２０２では、これらのパラメータセット１〜ｎのそれぞれにおける絞り値とシャッター速度の値について、通常ＡＥ撮影のための露出条件のパラメータを基に、例えば所定の演算などを実行して求めるようにされる。
【００６０】
ここで、上記のようにして、ＷＤＲ撮影のための露出条件のパラメータセットについて、通常ＡＥ撮影時の露出条件のパラメータを基として得るということは、そのときの周囲の照明などの状況に応じて、最良のＷＤＲ撮影画像データの画内容が得られるようにして、ＷＤＲ撮影のための露出条件のパラメータセットを設定している、ということがいえる。
例えば、ＷＤＲ撮影のための露出条件のパラメータセットを設定する他の手法として、最も簡易なものとしては、通常ＡＥ撮影時において設定した露出条件のパラメータに関わらず、露出条件のパラメータセット１〜ｎについて、それぞれ予め定めておいた固定値を利用することが考えられる。しかし、この場合においては、撮像を行っている周囲状況によっては、露出条件のパラメータセット１〜ｎの設定値が不適切なものとなってしまい、非常に品位の低いＷＤＲ撮影画像データの画内容となる可能性が高くなる。これに対して、上記ステップＳ２０２による手順とすれば、周囲状況に適合して、可能なかぎりにおいて良好な露出状態によるＷＤＲ撮影画像データの画内容を得ることが期待されるものである。
【００６１】
ステップＳ２０３以降によっては、ＷＤＲ撮影におけるｎ回の撮影処理を繰り返し実行する動作が得られる。
先ず、ステップＳ２０３においては、以降において繰り返し実行されることになる撮影処理の実行回（パラメータセットの番号１〜ｎにも対応する）を示す変数ｎについて、初期値として１を代入し、ステップＳ２０４以降の手順に進む。
【００６２】
ステップＳ２０４においては、パラメータセットｎ（最初のステップＳ２０４ではパラメータセット１となる）としての絞り値とシャッター速度を設定して１回分の撮影処理を実行し、画像信号処理部４により、最終的に１枚分の静止画像データである第ｎ素材画像データ（最初のステップＳ２０４では第１素材画像データとなる）を生成するようにされる。そして、次のステップＳ２０５において、上記ステップＳ２０４により生成した第ｎ素材画像データをメモリ４ａに保持させる。このステップＳ２０４及びステップＳ２０５としての処理が、１回の撮影処理に相当する。
【００６３】
次のステップＳ２０６においては、変数ｎについて、ＷＤＲ撮影における規定の撮影処理回数に対応する最大値に至ったか否かについての判別を行うようにしている。つまり、現時点において、規定回数の撮影処理を全て完了させたか否かについての判別を行う。ここで、まだ撮影処理が残っているとして否定の判別結果が得られた場合には、ステップＳ２０７により、変数ｎについてインクリメントしたうえで、ステップＳ２０４に戻るようにされる。つまり、次の撮影処理を実行して、次の第ｎ素材画像データの生成と保持を実行するようにされる。
そして、このようにして規定回数分のステップＳ２０４、Ｓ２０５の手順を繰り返して、ステップＳ２０６にて肯定の判別結果が得られると、ステップＳ２０８に進む。
【００６４】
ステップＳ２０８に至った段階では、メモリ４ａには、規定の撮影処理回数に対応した第１〜第ｎ素材画像データが保持されている状態にある。そこで、ステップＳ２０８においては、これらの第１〜第ｎ素材画像データを利用して、１つのＷＤＲ撮影画像データが生成されるようにするための制御を実行する。
この制御に応じた画像信号処理部４の動作としては、第１〜第ｎ素材画像データにおける共通の画像部分ごとに比較して、できるだけ良好とされる露出により撮影されているとされる画像部分を、その素材画像データから抜き出すようにされる。この結果、第１〜第ｎ素材画像データから、１枚分の静止画像データを形成する画像分として、最良とされる品位の画像部分が選んで抜き出されることになる。そしてステップＳ２０８では、これらの抜き出された画像部分を合成して１つの画像データを生成するようにされる。このようにして生成された画像データが、ＷＤＲ撮影画像データとなるものである。なおステップＳ２０８としてのＷＤＲ撮影画像データ生成のための詳細なアルゴリズムについては、これまでに開発、提案されている技術、あるいは将来的に開発、提案される技術のうちから適切とされるものを採用することとすればよい。
【００６５】
ところで、これまでに説明した図６のフローチャートの手順と、上記図７によるＷＤＲ撮影の手順によっては下記のことがいえる。
先ず、ＷＤＲ撮影モードにおける１回分の写真撮影動作に応じて通常ＡＥ撮影画像データとＷＤＲ撮影画像データを得るのにあたっては、通常ＡＥ撮影画像データを生成する撮影処理と、ＷＤＲ撮影画像を生成する撮影処理とで、それぞれを個別に実行するようにしている。このことは、図６におけるステップＳ１０２、ステップＳ１０３として説明したとおりである。このようにしたことで、ＷＤＲ撮影時においては、通常ＡＥ撮影時において設定された露出条件に制限を受けることなく、露出条件のパラメータセットを設定できることになる。そして、本実施の形態では、ＷＤＲ撮影時の露出条件のパラメータセットを設定するのにあたり、通常ＡＥ撮影時に設定された露出条件を基として求めることで、そのときの周囲光の状況に対応してできるだけ最適化されたパラメータ値が得られるようにしているものである。
【００６６】
この点について特許文献１と比較してみる。
特許文献１では、例えば図３と、これに対応する明細書の記載内容などにあるように、本実施の形態のＷＤＲ撮影モードに対応する自動ＳＬ撮影モードでは、短時間露光画像データと長時間露光画像データの２つのデータを得ることとして、これを合成することで本実施の形態のＷＤＲ撮影画像データに相当するＳＬ合成画像を得ることとしている。そのうえで、図１８に対応する明細書の記載により明らかなように、自動ＳＬ撮影モードにあって、本実施の形態の通常ＡＥ撮影画像データに相当する画像データは、ＳＬ合成画像の素材である長時間露光画像データとしている。
すると、長時間露光画像データについては、通常のＡＥ（自動露出）情報に基づいて撮影を行うことになり、従って、ＳＬ合成画像としては、周囲光の環境にかかわらず、通常のＡＥにより撮影された長時間露光画像と、これよりも短時間の露光、つまり、より少ない露光量によって撮影された短時間露光画像とにより生成されることになる。このようにして特許文献１では、通常のＡＥによる撮影画像を、ＳＬ画像の素材画像データとして共用することとしており、かつ、その画像データは、長時間露光画像データとして固定的に決めている。このために、通常のＡＥによる撮影画像よりも改善される画質が得られる可能性が低くなると考えられる。例えば周囲光が暗いような状況では、短時間露光画像がより暗いものとなってしまって、その結果生成されるＳＬ画像としても、適正露出に近づくようにして改善される結果を望むことは難しくなる。
これに対して、本実施の形態であれば、通常ＡＥ撮影時に設定した露光条件に基づいて、周囲光が明るすぎるときには、少なめの傾向の露光量となることを考慮してパラメータセットを設定でき、逆に、周囲光が暗すぎるときには、多めの傾向の露光量となるように考慮してパラメータセットを設定できる。つまり、周囲光に適合して、より最適とされる露光条件を設定してＷＤＲ撮影画像データを生成できる。これにより、本実施の形態により得られるＷＤＲ撮影画像データとしては、露出状態が改善されている可能性がより高くなることが期待されるものであり、実用性、信頼性もそれだけ高まるものである。
【００６７】
説明を図６に戻す。
上記図７に示したステップＳ１０４としてのＷＤＲ撮影の手順により生成されたＷＤＲ撮影画像データは、ステップＳ１０５によりメモリ４ａに保持しておくようにされる。
【００６８】
先の説明のようにして、ＷＤＲ撮影モードの下では、保存画像確定モードとして、「撮影時／手動モード」、「撮影時／自動モード」「再生時／手動モード」、「再生時／自動モード」の４モードが用意されている。これに応じて、ステップＳ１０５に続くステップＳ１０６においては、現在設定されている保存画像確定モードが何であるのかについて判別する。
ステップＳ１０６において、保存画像確定モードが、「再生時／手動モード」又は「再生時／自動モード」の何れかであると判別された場合には、ステップＳ１０７の手順を実行したうえで、一旦、この図に示すルーチンを抜けることとしたうえで、再度、ステップＳ１０１により写真撮影指示が発生するのを待機する。
ステップＳ１０７においては、ステップＳ１０３とステップＳ１０５によりメモリ４ａに保持されている通常ＡＥ撮影画像データとＷＤＲ撮影画像データとの組を、先に説明した未確定画像ファイルとして扱って、記憶媒体２０に記憶保持させるようにする。
【００６９】
また、ステップＳ１０６において、保存画像確定モードが「撮影時／手動モード」であると判別された場合には、ステップＳ１０８の手順を実行するようにされる。
ステップＳ１０８においては、ステップＳ１０３によりメモリ４ａに保持されている通常ＡＥ撮影画像データを解析して、そのヒストグラムの情報を生成するようにされる。このようにして生成したヒストグラムの情報は、例えばＲＡＭ１２に保持しておくようにされる。このヒストグラム生成のための処理についても、これまでに開発、提案されている技術、あるいは将来的に開発、提案される技術のうちから適切とされるものを採用すればよい。本実施の形態にあっては、ヒストグラム情報の生成は、例えば画像信号処理部４から取り込んだとされる画素ごとの輝度（明るさ）の情報に基づいて、例えばＣＰＵ１０が生成することとすればよい。あるいは、ＤＳＰ（Digital Signal Processor）としての構成を採る画像信号処理部４が、ＣＰＵ１０の指示に応じて、内部で完結してヒストグラム情報を生成できるように構成することも考えられる。
また、次のステップＳ１０９においては、ステップＳ１０５によりメモリ４ａに保持されているＷＤＲ撮影画像のヒストグラム情報を生成し、ＲＡＭ１２に保持しておくようにされる。
【００７０】
ステップＳ１０９までの手順を完了した段階では、メモリ４ａには、通常ＡＥ撮影画像データとＷＤＲ撮影画像データが保持されており、また、ＲＡＭ１２には、これらの撮影画像データごとのヒストグラム情報が保持されている状態にある。
そこで、ステップＳ１０９に続くステップＳ１１０では、これらの通常ＡＥ撮影画像データ、ＷＤＲ撮影画像データ、及び各撮影画像データのヒストグラム情報を利用して、図４又は図５に示した保存画像選択画面の表示用画像データを生成し、この表示用画像データが表示部７にて表示されるように制御を実行する。これにより、保存画像選択画面が表示画面部７Ａに表示されることになる。
【００７１】
次に、ステップＳ１１１においては、図４にて説明した画像選択ボタンに対する操作（画像選択操作）に応じて、通常ＡＥ撮影画像とＷＤＲ撮影画像との間での、選択対象となっている撮影画像の切り換え設定を行うようにされる。この処理により、画像選択ボタンＢｔ３１又は画像選択ボタンＢｔ３２の強調表示の切り換えも行われる。
上記ステップＳ１１１としての手順は、ステップＳ１１２によりＯＫボタンＢｔ３３に対する操作が行われたものとして肯定の判別結果が得られるまで、ユーザの画像選択ボタンＢｔ３１、Ｂｔ３２に対して行われたとされる操作に応じて実行することができる。
そして、ステップＳ１１２にてＯＫボタンＢｔ３３に対する操作が行われたとして肯定の判別結果が得られたとされると、ステップＳ１１３に進むことになる。
【００７２】
ステップＳ１１３では、ＯＫボタンＢｔ３３の操作時において保存画像選択画面上で選択されていたほうの撮影画像のデータ（正規撮影画像データとなる）を記憶媒体２０に保存させるとともに、選択されていなかったほうの画像データについては破棄するようにされる。例えば、通常ＡＥ撮影画像が選択されていたのであれば、メモリ４ａに保持されているベースバンドの通常ＡＥ撮影画像データについて、例えば画像信号処理部４により圧縮符号化処理を施させたうえで、メディアコントローラ１３に転送する。そして、メディアコントローラ１３により、この圧縮符号化された通常ＡＥ撮影画像データが、正規の写真画像ファイルとして管理されるようにして、記憶媒体２０に記憶させるようにする。また、これとともに、選択されていなかったほうのＷＤＲ撮影画像データについては、メモリ４ａから消去することで、破棄するようにされる。
【００７３】
また、ステップＳ１０６において、保存画像確定モードが「再生時／自動モード」であると判別された場合には、ステップＳ１１４以降の手順を実行する。
ステップＳ１１４及びこれに続くステップＳ１１５においては、先のステップＳ１０８、Ｓ１０９と同様にして、メモリ４ａに保持されている通常ＡＥ撮影画像データとＷＤＲ撮影画像データのそれぞれについてのヒストグラム情報を生成して、これをＲＡＭ１２に保持するようにされる。
【００７４】
そして、この場合においては、ステップＳ１１６により、上記ステップＳ１１４、Ｓ１１５により生成したとされるヒストグラム情報の各々についての解析処理として、例えば、正規であるとして定めた輝度対画素数の分布を示す基準ヒストグラム情報と比較する処理を実行し、この比較結果に基づいて、ステップＳ１０７により、通常ＡＥ撮影画像データとＷＤＲ撮影画像データのうちから、正規撮影画像データを選択決定するようにされる。このときには、例えば基準ヒストグラム情報と比較した結果として、総合的に、この基準のヒストグラム情報に対する誤差量が少ない方を、正規撮影画像データとして選択するようにされる。
そして、次のステップＳ１１８においては、上記ステップＳ１１７により選択決定されたほうの撮影画像データを写真画像ファイルとして記憶媒体２０に保存させ、選択決定されなかった方の撮影画像データについては破棄するようにされる。
【００７５】
図８のフローチャートは、「再生時／手動モード」又は「再生時／自動モード」の画像確定モードが設定されたＷＤＲ撮影モードにより撮影されたことで記憶媒体２０に記憶された未確定画像ファイルを対象として、再生モード時において正規撮影画像データを決定するための手順例を示すものである。
【００７６】
図８においては、先ず、ステップＳ３０１において、例えばユーザが行うとされる写真画像ファイル再生のためのファイル選択操作により、未確定画像ファイルが再生対象として選択されるのを待機している。そして、ステップＳ３０１において肯定の判別結果が得られたとされると、ステップＳ３０２に進んで、その未確定画像ファイルを記憶したときの画像確定モードが、「再生時／手動モード」と「再生時／自動モード」の何れとされていたのかを判別するようにされる。例えば未確定画像ファイルとして記憶部２０にデータを記憶させる際には、その未確定画像ファイルのデータと共に、付加情報として、そのときの画像確定モードを示す識別情報を格納しておくこととする。そして、ステップＳ３０２の判別においては、この識別情報を参照するようにされる。
【００７７】
上記ステップＳ３０２において、画像確定モードが「再生時／手動モード」とされていたことが判別されていた場合には、ステップＳ３０３〜３１０の手順を実行する。
先ず、ステップＳ３０３とこれに続くステップＳ３０４によっては、記憶媒体２０から、今回選択された未確定画像ファイルとしての通常ＡＥ撮影画像データとＷＤＲ撮影画像データを読み込むようにされる。以降のステップＳ３０５〜Ｓ３１０の手順は、図６における「撮影時／手動モード」に対応するステップＳ１０８〜Ｓ１１３の手順と同様となる。ただし、ステップＳ３１０においては、保存画像選択画面上で選択されたほうの撮影画像データを、改めて、写真画像ファイルとして管理されるようにして、記憶媒体２０に記憶し直すようにされる。この処理は、例えば、撮影画像データの実体データを改めて記憶し直すことはせずに、管理情報上での書き換えのみで実現することも可能である。また、保存画像選択画面上で選択されなかった撮影画像データについては、記憶部２０から消去、削除するようにされる。
【００７８】
また、ステップＳ３０２において、画像確定モードが「再生時／自動モード」とされていたことが判別されていた場合には、ステップＳ３１１〜３１７の手順を実行する。
先ず、ステップＳ３１１、Ｓ３１２によっては、ステップＳ３０３、Ｓ３０４と同様にして、記憶部２０から、今回選択された未確定画像ファイルとしての通常ＡＥ撮影画像データとＷＤＲ撮影画像データの読み込みを実行させる。また、続くステップＳ３１３〜Ｓ３１７までの手順は、図６のステップＳ１１４〜Ｓ１１８に準ずることになる。また、ステップＳ３１７に関しては、ステップＳ３１０と同様にして、正規撮影画像データとして選択された撮影画像データを写真画像ファイルとして記憶媒体２０に記憶し直し、選択されなかった撮影画像データについては記憶媒体２０から消去する。
【００７９】
なお、本実施の形態としてのＷＤＲ撮影についての手順と、これに対応する構成については適宜変更されて構わない。例えば、保存画像確定のために用いるヒストグラム情報は、これまでの説明においては、保存画像を確定する処理のときにはじめて生成することとしている。これに対して、例えば、通常ＡＥ撮影を行うときとＷＤＲ撮影を行うときとで、それぞれ、通常ＡＥ撮影画像データ、ＷＤＲ撮影画像データを生成するとともに、この生成した画像データに基づいてヒストグラム情報を生成しておくようにしてもよい。また、この場合において、画像確定モードの確定機会について、「再生時」のモードとされている場合は、生成したヒストグラム情報を、未確定画像ファイルの構造内に含めて格納したうえで記憶保持させておくこととすればよい。
【００８０】
また、上記実施の形態においては、画像確定モードの確定機会について「再生時」のモードが設定されている場合の正規撮影画像データ確定の機会は、再生表示すべき画像として未確定画像ファイルが選択されたときであるとしているが、これについては、他にも考えられる。例えば、再生モードにおいて、未確定画像ファイルのみを選択表示させながら、手動、または自動による正規撮影画像データの確定が行えるような、正規撮影画像データを確定するための専用モードを設定することが考えられる。
また、画像確定モードの確定機会について「再生時」のモードが設定されている場合には、撮影記録をユーザが一通り終えてから正規撮影画像データの確定が行われることから、その間は、未確定画像ファイルとして記憶保持しておく必要がある。そこで、上記実施の形態では、記憶媒体２０に記憶保持させることとしているが、この未確定画像ファイルを記憶保持させる記憶領域として、例えば容量に余裕があれば、不揮発性メモリ１２ａなどとしてもよい。不揮発性メモリ１２ａは、この場合、デジタルスチルカメラ１における内部メモリなので、例えば記憶媒体２０よりも高速にアクセスすることが可能であり、それだけ正規撮影画像データの確定処理も高速化されることが期待される。また、このようにして記憶媒体２０や不揮発性メモリ１２ａなどの不揮発性の記憶領域に記憶させておけば、デジタルスチルカメラ１のメイン電源がオフとされても、未確定画像ファイルは消去されずに記憶保持されるので、例えばユーザがメイン電源をオフにしてしばらく使用しなかった後でも、正規撮影画像データを確定できることになって便利である。ただし、なんらかの理由、事情で、このようなことを配慮しなくとも良いような場合には、未確定画像ファイルを、ＲＡＭ１２やメモリ４ａなどの揮発性の記憶領域に保持させても良いことになる。
また、同じく画像確定モードの確定機会について「再生時」のモードが設定されている場合についてであるが、未確定画像ファイルとしては、生成後のＷＤＲ撮影画像データを格納する代わりに、その素材画像データを格納するようにしておくこととして、正規撮影画像データを確定すべきときになったら、これらの素材画像データからＷＤＲ撮影画像データを生成するという手順としてもよいものである。
また、本実施の形態としては、デジタルスチルカメラに本願発明を適用しているが、現状においては、本来は動画の撮影画像を記録再生するビデオカメラ装置などにあっても、写真的な静止画像の撮影記録が可能に構成されたものが広く知られているので、これらのビデオカメラ装置をはじめ、本願発明は各種の撮像装置に適用可能とされる。
また、実施の形態では、撮影画像データとして静止画像データを対象としているが、本願発明の概念としては、動画像データを対象として適用することも可能である。例えば将来的に高速撮影、ビデオ信号処理速度の高速化などがある水準以上に達すれば、本実施の形態のＷＤＲ撮影画像に対応する動画像データを、複数の動画像データから合成して生成することも可能になると考えられる。
【図面の簡単な説明】
【００８１】
【図１】本発明の実施の形態としてのデジタルスチルカメラの外観例を示す図である。
【図２】実施の形態のデジタルスチルカメラの内部構成例を示す図である。
【図３】実施の形態においてＷＤＲ撮影モードを設定するための操作手順を説明するための操作画面の表示態様例を示す図である。
【図４】画像確定モードの確定の仕方として「手動モード」が設定されている場合の保存画像選択画面の表示態様例を示す図である。
【図５】保存画像選択画面についての他の表示態様例を示す図である。
【図６】ＷＤＲ撮影モードが設定されている場合における撮影記録のための手順例を示すフローチャートである。
【図７】ＷＤＲ撮影のための手順例を示すフローチャートである。
【図８】画像確定モードが「再生時／手動モード」あるいは「再生時／自動モード」とされている場合の、正規撮影画像データ確定のための手順例を示す図である。
【符号の説明】
【００８２】
１  デジタルスチルカメラ、２  光学系部、３  光電変換部、４  画像信号処理部、５  画像入出力部、６  カメラ機能部、７  表示部、７Ａ  表示画面部、８  音声処理部、９  音声入出力部、１０  ＣＰＵ、１１  ＲＯＭ、１２  ＲＡＭ、１２ａ  不揮発性メモリ、１３  メディアコントローラ、１５  操作入力部、１６  通信部、２０  記憶媒体、３１  シャッターボタン、３２  ズームキー、３３  十字キー、３４，３５  ボタンキー
【図１】
2008060676.tif 000003
【図２】
2008060676.tif 000004
【図３】
2008060676.tif 000005
【図４】
2008060676.tif 000006
【図５】
2008060676.tif 000007
【図６】
2008060676.tif 000008
【図７】
2008060676.tif 000009
【図８】
2008060676.tif 000010